(57)【要約】【課題】貯湯タンク方式における効果的な再加熱が可能な給湯装置を提供する。また、温水の使用量の増大に対しても、安定して温水を供給することができ、設備的にも有利な給湯装置を提供するものである。【解決手段】温水使用部Ｕと、給水管１１と、第１給湯器２０と、第１開閉弁部４５と循環供給部５０と出湯部５５と温度検出器６０とを備えた貯湯タンク４０と、出湯管７０と、戻り管７５とからなり、第１切替弁９１及び第２切替弁９２の切替によって温水の通常使用状態と再加熱循環状態とが選択できるようにしたことを特徴とする。【選択図】　　　　図１
2004053218.tif 000002
【特許請求の範囲】
【請求項１】
温水使用部（Ｕ）と、
給水部（１０）に接続された給水管（１１）と、
前記給水管と第１切替弁（９１）を介して接続され所定温度の温水に加熱して第１給湯管（２１）に送出する第１給湯器（２０）と、
前記第１給湯管と第２切替弁（９２）を介して接続され所定量で流入を停止する第１流入停止スイッチ（４６）を備えた第１開閉弁部（４５）と、前記第１給湯器と前記第２切替弁を介して接続された循環供給部（５０）と、内部の温水を出湯する出湯部（５５）と、内部の温水の温度検出器（６０）とを備えた貯湯タンク（４０）と、
前記出湯部と前記温水使用部とをポンプ（６５）を介して接続する出湯管（７０）と、
前記温水使用部と前記第１切替弁を介して前記第１給湯器と接続された戻り管（７５）とからなり、
前記第１切替弁及び第２切替弁の切替によって温水の通常使用状態と再加熱循環状態とが選択できるようにした
ことを特徴とする給湯装置。
【請求項２】
温水使用部（Ｕ）と、
給水部（１０）に接続された給水管（１１）と、
前記給水管と第１切替弁（９１）を介して接続され所定温度の温水に加熱して第１給湯管（２１）に送出する第１給湯器（２０）と、
前記給水管と接続され所定温度の温水に加熱して第２給湯管（３１）に送出する第２給湯器（３０）と、
前記第１給湯管と第２切替弁（９２）を介して接続され所定量で流入を停止する第１流入停止スイッチ（４６）を備えた第１開閉弁部（４５）と、前記第２給湯管と接続され所定量で流入を停止する第２流入停止スイッチ（４８）を備えた第２開閉弁部（４７）と、前記第１給湯器と前記第２切替弁を介して接続された循環供給部（５０）と、内部の温水を出湯する出湯部（５５）と、内部の温水の温度検出器（６０）とを備えた貯湯タンク（４０）と、
前記出湯部と前記温水使用部とをポンプ（６５）を介して接続する出湯管（７０）と、
前記温水使用部と前記第１切替弁を介して前記第１給湯器と接続された戻り管（７５）とからなり、
前記第１切替弁及び第２切替弁の切替によって温水の通常使用状態と再加熱循環状態とが選択できるようにした
ことを特徴とする給湯装置。
【請求項３】
前記第１切替弁及び第２切替弁が電動三方弁よりなる請求項１又は２に記載の給湯装置。
【請求項４】
温水の通常使用状態から再加熱循環状態への切替がタイマーの満了により元に戻るタイマースイッチによってなされる請求項１又は２に記載の給湯装置。
【発明の詳細な説明】
【０００１】
【発明の属する技術分野】
この発明は、温水を供給する給湯装置に関する。
【０００２】
【従来の技術】
例えば理容あるいは美容等の分野では、洗髪等のため常時一定温度の温水を洗面台や洗髪台に供給する必要があるので、冷水（水道水）を給湯器で加熱した後、温水を一旦貯湯タンクに蓄え、必要により貯湯タンクから洗面台等へポンプにより圧送している。
【０００３】
このような温水を貯湯タンクに蓄える方式にあっては、温水の需要が急に増した場合にも、該貯湯タンク内の温水を消費する間に給湯器から新たな温水を供給することができるため、温水の供給を途切れさせることがない。
【０００４】
しかしながら、この貯湯タンク方式では、不使用時間が長くなると次第に湯温が低下するという問題がある。特に、始業前には貯湯タンクの湯温は相当低下しており、再加熱する必要がある。
【０００５】
一方において、理容や美容の店舗の規模が大きくなると、温水の全体使用量が増大し、一時に大量の温水が消費される場合が生ずる。このような温水の急激な増大に対応して、いきおい規模の大きな給湯器及び貯湯タンクを設置しなければならず、場所的にもコスト的にも大きな負担となる。
【０００６】
また、給湯器が１台しかない場合にはそれに不具合が生じた際には、温水の供給が滞り、営業に支障を来すおそれがある。このため、給湯器の不具合による営業への影響を極力少なくし、しかも設備投資の安価な給湯装置の提供が急務であった。
【０００７】
【発明が解決しようとする課題】
この発明はこのような点に鑑みなされたものであり、貯湯タンク方式における効果的な再加熱が可能な給湯装置を提供するものである。また、この発明は温水の使用量の増大に対しても、安定して温水を供給することができ、設備的にも有利な給湯装置を提供するものである。
【０００８】
【課題を解決するための手段】
すなわち、請求項１の発明は、温水使用部（Ｕ）と、給水部（１０）に接続された給水管（１１）と、前記給水管と第１切替弁（９１）を介して接続され所定温度の温水に加熱して第１給湯管（２１）に送出する第１給湯器（２０）と、前記第１給湯管と第２切替弁（９２）を介して接続され所定量で流入を停止する第１流入停止スイッチ（４６）を備えた第１開閉弁部（４５）と、前記第１給湯器と前記第２切替弁を介して接続された循環供給部（５０）と、内部の温水を出湯する出湯部（５５）と、内部の温水の温度検出器（６０）とを備えた貯湯タンク（４０）と、前記出湯部と前記温水使用部とをポンプ（６５）を介して接続する出湯管（７０）と、前記温水使用部と前記第１切替弁を介して前記第１給湯器と接続された戻り管（７５）とからなり、前記第１切替弁及び第２切替弁の切替によって温水の通常使用状態と再加熱循環状態とが選択できるようにしたことを特徴とする給湯装置に係る。
【０００９】
また、請求項２の発明は、温水使用部（Ｕ）と、給水部（１０）に接続された給水管（１１）と、前記給水管と第１切替弁（９１）を介して接続され所定温度の温水に加熱して第１給湯管（２１）に送出する第１給湯器（２０）と、前記給水管と接続され所定温度の温水に加熱して第２給湯管（３１）に送出する第２給湯器（３０）と、前記第１給湯管と第２切替弁（９２）を介して接続され所定量で流入を停止する第１流入停止スイッチ（４６）を備えた第１開閉弁部（４５）と、前記第２給湯管と接続され所定量で流入を停止する第２流入停止スイッチ（４８）を備えた第２開閉弁部（４７）と、前記第１給湯器と前記第２切替弁を介して接続された循環供給部（５０）と、内部の温水を出湯する出湯部（５５）と、内部の温水の温度検出器（６０）とを備えた貯湯タンク（４０）と、前記出湯部と前記温水使用部とをポンプ（６５）を介して接続する出湯管（７０）と、前記温水使用部と前記第１切替弁を介して前記第１給湯器と接続された戻り管（７５）とからなることを特徴とする給湯装置に係る。
【００１０】
請求項３の発明は、前記第１切替弁及び第２切替弁が電動三方弁よりなる請求項１又は２に記載の給湯装置に係る。
【００１１】
さらに、請求項４の発明は、温水の通常使用状態から再加熱循環状態への切替がタイマーの満了により元に戻るタイマースイッチによってなされる請求項１又は２に記載の給湯装置に係る。
【００１２】
【発明の実施の形態】
以下添付の図面に従ってこの発明を詳細に説明する。
図１は請求項１の発明の一実施例を示す給湯装置の全体の概略回路配置図、図２は図１の給湯装置の通常使用状態を表す回路図、図３は同じく図１の給湯装置の再加熱循環状態を表す回路図、図４は請求項２の発明の一実施例を示す給湯装置の全体の概略回路配置図、図５は図４の給湯装置の通常使用状態を表す回路図、図６は同じく図４の給湯装置の再加熱循環時の一状態を表す回路図、図７はさらに図４の給湯装置の再加熱循環時の他の状態を表す回路図、図８は貯湯タンクの一部を切り欠いて表した要部の斜視図ある。
【００１３】
まず、図１ないし図３の図によって請求項１の発明に係る給湯装置１について説明する。この給湯装置１は、温水使用部Ｕと、給水管１１と、第１給湯器２０と、貯湯タンク４０と、出湯管７０と、戻り管７５の各部構成を含む。
【００１４】
温水使用部Ｕは前記したような洗面台や洗髪台等の温水消費部である。また、給水管１１は上水道等の給水部１０に接続されている。第１給湯器２０は公知のガス又は電気湯沸かし器からなり、前記給水管１１と第１切替弁９１を介して接続され、所定温度の温水に加熱して第１給湯管２１に送出する。この第１切替弁９１は後述するように電動三方弁よりなる。
【００１５】
貯湯タンク４０は、第１開閉弁部４５と、循環供給部５０と、出湯部５５とを含む。第１開閉弁部４５は、前記第１給湯管２１と第２切替弁９２を介して接続されており、所定量で流入を停止する第１流入停止スイッチ４６を備えている。この第１開閉弁部４５は公知のボールタップ弁とすることができ、通常貯湯タンク４０の上部に設けられる（なお、図８参照）。また、循環供給部５０は前記第１給湯器２０の第１給湯管２１と第２切替弁９２を介して接続されている。通常この循環供給部５０は貯湯タンク４０の底部４０ａに設けられる（図８参照）。第２切替弁９２は第１切替弁９１と同様の電動三方弁よりなり、上のように、第１給湯器２０の第１給湯管２１から送出される温水を前記第１開閉弁部４５又は循環供給部５０へ選択供給する。図の符号２３及び２４は分岐管である。
【００１６】
また、出湯部５５は、内部の温水を出湯する部分で通常貯湯タンク４０の底部に設けられる。さらに、温度検出器６０は公知のサーモスタット等からなり、貯湯タンク４０の底部に配置され、温水の所定温度を検出する。
【００１７】
出湯管７０は、前記貯湯タンク４０の出湯部５５と前記温水使用部Ｕとをポンプ６５を介して接続する。
【００１８】
戻り管７５は、前記温水使用部Ｕと前記第１切替弁９１を介して前記第１給湯器２０と接続される。第１切替弁９１は前記のように電動三方弁であり、戻り管７５と給水管１１とを選択的に第１給水部２０と接続する。符号７６は接続管である。
【００１９】
そして、前記第１切替弁９１及び第２切替弁９２の切替によって、温水の通常使用状態と再加熱循環状態とが選択される。図２及び図３によって、請求項１の給湯装置１の通常使用状態と再加熱循環状態の作動を説明する。なお、図１の符号１００は、前記第１切替弁９１及び第２切替弁９２の切替制御を行う制御装置であって、ここでは前記貯湯タンク４０の温度検出器６０からの検出信号に基づく温度スイッチ１０１及びタイマースイッチ１０２を備えている。
【００２０】
まず、図２は給湯装置１の通常使用状態を表す回路図である。この状態では、第１切替弁９１は給水管１１と第１給湯器２０とを接続し（ｂ−ｃ）、かつ第２切替弁９２は第１給湯器２０と貯湯タンク４０の第１開閉弁部４５とを接続する（ｄ−ｆ）。そして、温水使用部Ｕで温水が消費され、貯湯タンク４０の温水が所定量より減少すれば第１開閉弁部４５がオンし（開かれ）、給水管１１からの水が第１給湯器２０で加熱され、温水が貯湯タンク４０内に補給される。貯湯タンク４０の温水が所定量になれば第１開閉弁部４５がオフとなり（閉じられ）、温水の供給が停止される。
【００２１】
一方、図３は給湯装置１の再加熱循環状態を表す回路図である。この状態は、不使用時間が長くなって湯温が低下した場合、特に始業前の貯湯タンクの温水を循環によって再加熱するものである。第１切替弁９１は戻り管７５と第１給湯器２０とを接続し（ａ−ｃ）、かつ第２切替弁９２は第１給湯器２０と貯湯タンク４０の循環供給部５０とを接続する（ｄ−ｅ）。貯湯タンク４０内の最後の使用時に満水状態にあった温水は時間の経過とともに湯温が下がり、この湯温が低下した温水を温水使用部Ｕ経由で第１給湯器２０へ導入し、ここで再加熱するのである。第１給湯器２０で加熱された温水は貯湯タンク４０の循環供給部５０から再び貯湯タンク４０内に導入される。
【００２２】
この再加熱循環状態は、制御装置１００によって作出される。すなわち、ここでは、制御装置１００のタイマースイッチ１０２の手動操作によって第１切替弁９１及び第２切替弁９２が切替えられるとともに、ポンプ６５が作動される。この循環状態はタイマースイッチ１０２のタイムアップか、又は温度検出器６０による所定温度の検知信号のいずれか先に成立する条件によって停止する。つまり、タイマースイッチ１０２のタイムアップ前であっても、温度検出器６０が所定の温度を検知すればその信号によって停止し、また、温度検出器６０による所定温度の検知前であっても、タイマースイッチ１０２のタイムアップによって停止する。停止後は前述した通常使用状態へ戻る。この循環状態では、新たな水の補給がなされないので、原則として温水使用部Ｕでの使用（消費）を差し控えることが望ましい。ちなみに、前記のタイマースイッチ１０２の配置は、この循環状態を切り忘れて使用する場合の空炊きを極力防止する安全対策上好ましいものである。
【００２３】
次に、請求項２の発明に係る給湯装置２について、図４ないし図８に従って説明する。この請求項２の発明の給湯装置２は、上述した請求項１の発明の給湯装置１に第２給湯器３０を付設したものである。従って、共通する構成は共通符号によって表す。
【００２４】
この給湯装置２は、温水使用部Ｕと、給水管１１と、第１給湯器２０と、第２給湯器３０と、貯湯タンク４０と、出湯管７０と、戻り管７５の各部構成を含む。図からも分かるように、第２給湯器３０を付設した関係で、前記給湯装置１とは次の点が相違する。
【００２５】
まず、第２給湯器３０は、前記給水管１１と接続される。図４において、符号１２は第１給湯器２０への給水分岐管、１３は第２給湯器３０への給水分岐管を表す。そして、第２給湯器３０は、所定温度の温水に加熱して第２給湯管３１に送出する。
【００２６】
また、この給湯装置２は、貯水タンク４０において、前記第２給湯管３１と接続され所定量で流入を停止する第２流入停止スイッチ４８を備えた第２開閉弁部４７を有する。この第２開閉弁部４７は、前記第１開閉弁部４５と同様、公知のボールタップ弁とすることができ、貯湯タンク４０の上部に設けられる。なお、図８に示したように、貯湯タンク４０に２つのボールタップ弁１１０，１１１からなる第１開閉弁部４５及び第２開閉弁部４７を設ける場合には、両開閉弁４５，４７による温水の流入時にタンク内の水面が波立つことによってボールタップ弁１１０，１１１が振動し、第１流入停止スイッチ４６及び第２流入停止スイッチ４８が誤作動することがある。このために、図のように、平面視略Ｔ字状の遮蔽板１２０を設けて、第１開閉弁部４５及び第２開閉弁部４７直下の温水流入スペースと、ボールタップ弁１１０の作動スペースと、ボールタップ弁１１１の作動スペースとの３つの空間を仕切ることにより、互いの干渉を防ぐようにすればよい。符号１２１は各スペースを連通する貫通部である。
【００２７】
給湯装置２の他の構成については給湯装置１と同様であるので説明を省略し、次に図５ないし図７に従って、その作動について説明する。図５は給湯装置の通常使用状態を表し、第１切替弁９１は給水管１１と第１給湯器２０とを接続し（ｂ−ｃ）、かつ第２切替弁９２は第１給湯器２０と貯湯タンク４０の第１開閉弁部４５とを接続する（ｄ−ｆ）。そして、温水使用部Ｕで温水が消費され、貯湯タンク４０の温水が所定量より減少すれば第１開閉弁部４５及び第２開閉弁部４７がオンし（開かれ）、給水管１１からの水が第１給湯器２０及び第２給湯器３０で加熱され、温水が貯湯タンク４０内に補給される。貯湯タンク４０の温水が所定量になれば第１開閉弁部４５及び第２開閉弁部４７がオフとなり（閉じられ）、温水の供給が停止される。
【００２８】
２つの給湯器２０，３０は同時に作動するようにしてもよいが、各開閉弁部４５，４７を構成するボールタップの高さ位置に高低差を設けることによって、作動のタイミングをずらすようにすると給湯器２０，３０の稼働が安定して好ましい。２つの給湯器２０，３０が稼働することによって、貯湯タンク４０の容量を大きくすることができ、また、どちらかの給湯器がトラブルを起こした場合にも他の給湯器よって対応することができるメリットがある。
【００２９】
また、図６は給湯装置２の再加熱循環時の一状態を表す。この状態は、前記のように、始業前等の長時間の不使用によって貯湯タンクの湯温が低下した場合における温水を循環によって再加熱するものである。前記したように、貯湯タンク４０内の前回最後の使用時には温水は満水状態となっているので、この湯温が低下した温水を温水使用部Ｕ経由で第１給湯器２０へ導入し、ここで再加熱する。第１切替弁９１は戻り管７５と第１給湯器２０とを接続し（ａ−ｃ）、かつ第２切替弁９２は第１給湯器２０と貯湯タンク４０の循環供給部５０とを接続する（ｄ−ｅ）。第２給湯器３０は、貯湯タンク４０の温水が所定量以下にならない限り作動しない。所定量以下になった場合は図７に示される。
【００３０】
給湯装置２の再加熱循環状態も、前述の給湯装置１と同様に、制御装置１００によって実現される。制御装置１００のタイマースイッチ１０２の手動操作によって第１切替弁９１及び第２切替弁９２が切替えられるとともに、ポンプ６５が作動される。そして、この循環状態はタイマースイッチ１０２のタイムアップか、又は温度検出器６０による所定温度の検知信号のいずれか先に成立する条件によって停止し、停止後通常使用状態へ切替えられる。
【００３１】
図７は給湯装置２の再加熱循環時の他の状態を表すもので、図６の再加熱循環時に貯湯タンク４０の温水が所定量以下になり、第２開閉弁部４７がオンとなり（開かれ）、温水の供給がなされる場合である。この給湯装置２では、２つの給湯装置２０，３０が並設されているので、前述の給湯装置１のような単数設置の場合と異なり、再加熱循環時においても貯湯タンク４０の温水が所定量以下になった場合には、第２給湯器３０による新たな温水の追加供給が可能である。従って、温水の温度低下を問題としないのであれば、温水使用部Ｕでの温水消費はできるし、また前述の給湯装置１のような空炊きの心配はない。
【００３２】
なお、ここでは制御装置１００のタイマースイッチ１０２が作動しているので、タイマースイッチ１０２のタイムアップによって、図５の通常使用状態に切替えられる。この場合には、温水温度は所定温度に達しないまま第１切替弁９１及び第２切替弁９２が切替えられ通常使用状態に戻ることになる。タイマースイッチ１０２のタイムアップ前に貯湯タンクの温水が所定温度に達すれば、温度検出器６０による検知信号によって循環状態は停止し、通常使用状態へ戻る。
【００３３】
【発明の効果】
以上図示し説明したように、この発明の給湯装置によれば、貯湯タンク方式における効果的な再加熱が可能な給湯装置を提供することができた。特に、温度の下がったタンク内の温水を給湯器へ循環することによって再加熱するものであるので、設備的にも有利である。
【００３４】
また、請求項２の発明によれば、２つの給湯器２０，３０が稼働することによって、貯湯タンク４０の容量を大きくすることができ、また、どちらかの給湯器がトラブルを起こした場合にも他の給湯器よって対応することができるメリットがある。さらに、請求項２の発明にあっては、温水の温度低下を問題としないのであれば、循環再加熱状態での温水消費が可能であるし、空炊きの心配はない。
【００３５】
また、請求項３の発明によれば、第１切替弁及び第２切替弁を電動三方弁により構成することにより、請求項１又は２の発明を簡単かつ容易に実現することができる。
【００３６】
さらに、請求項４の発明によれば、温水の通常使用状態から再加熱循環状態への切替がタイマーの満了により元に戻るタイマースイッチによってなされるものであるから、切り忘れ等による空炊きやトラブルの発生のおそれがなくなり、安全である。
【図面の簡単な説明】
【図１】図１は請求項１の発明の一実施例を示す給湯装置の全体の概略回路配置図である。
【図２】図１の給湯装置の通常使用状態を表す回路図である。
【図３】同じく図１の給湯装置の再加熱循環状態を表す回路図である。
【図４】請求項２の発明の一実施例を示す給湯装置の全体の概略回路配置図である。
【図５】図４の給湯装置の通常使用状態を表す回路図である。
【図６】同じく図４の給湯装置の再加熱循環時の一状態を表す回路図である。
【図７】さらに図４の給湯装置の再加熱循環時の他の状態を表す回路図である。
【図８】貯湯タンクの一部を切り欠いて表した要部の斜視図ある。
【符号の説明】
１，２　給湯装置
１０　給水部
１１　給水管
２０　第１給湯器
２１　第１給湯管
３０　第２給湯器
３１　第２給湯管
４０　貯湯タンク
４５　第１開閉弁部
４６　第１流入停止スイッチ
４７　第２開閉弁
４８　第２流入停止スイッチ
５０　循環供給部
５５　出湯部
６０　温度検出器
６５　ポンプ
７０　出湯管
７５　戻り管
９１　第１切替弁
９２　第２切替弁
１０２　タイマースイッチ
Ｕ　温水使用部
【図１】
2004053218.tif 000003
【図２】
2004053218.tif 000004
【図３】
2004053218.tif 000005
【図４】
2004053218.tif 000006
【図５】
2004053218.tif 000007
【図６】
2004053218.tif 000008
【図７】
2004053218.tif 000009
【図８】
2004053218.tif 000010